(57)【要約】【課題】  簡易な構成で、有効に妨害信号を除去する。【解決手段】  制御ユニット１９０が、クロック信号及びその高調波の周波数の一部が隣接放送信号の周波数帯となっているか否かを判定し、当該判定結果に対応した決定態様モードＳＴＣを、帯域幅指定部１３２に対して指定する。決定態様モードＳＴＣを受けた帯域幅指定部１３２は、妨害レベル検出部１３１からの妨害信号レベルＮＬＤ及び検波部１３５からの信号レベルＳＬＤから求まる受信信号の妨害度合に基づいて、帯域制限フィルタ１３４に対して指定する帯域幅を決定する。かかる帯域幅を決定するに際して、帯域幅指定部１３２は、クロック信号及びその高調波の周波数の一部が隣接放送信号の周波数帯となっている場合には、そうでない場合と比べて、信号ＦＬＤの帯域幅を、早めに狭める態様となるようにする。【選択図】  図３
2010154411.tif 000002
【特許請求の範囲】
【請求項１】
選局指定に対応する選択放送局からの放送信号を所定周波数帯の周波数変換信号に変換する周波数変換手段と；
前記周波数変換信号に含まれ、前記選択放送局の隣接局からの隣接放送信号に由来する隣接妨害信号の周波数帯に属する信号成分の信号レベルを検出する妨害レベル検出手段と；
前記周波数変換信号に含まれ、通過帯域幅指定により定まる通過帯に該当する信号成分を選択的に通過させる帯域幅可変フィルタリング手段と；
通過帯域幅の決定態様指定に従い、前記妨害レベル検出手段による検出結果を考慮して、前記帯域幅可変フィルタリング手段に対して前記通過帯域幅指定を行う通過帯域幅指定手段と；
前記周波数変換手段に対して前記選局指定を行うとともに、前記選局指定により定まる前記隣接放送信号の周波数帯と、前記隣接放送信号とは異なる所定信号の周波数分布とを考慮して、前記通過帯域幅指定手段に対して前記通過帯域幅の決定態様指定を行う制御手段と；
を備えることを特徴とする受信装置。
【請求項２】
前記所定信号は、少なくとも１つの内部クロック信号及び前記内部クロック信号の高調波信号である、ことを特徴とする請求項１に記載の受信装置。
【請求項３】
前記帯域幅可変フィルタリング手段を通過した信号の信号レベルを検出する通過信号レベル検出手段を更に備え、
前記通過帯域幅指定手段は、前記通過信号レベル検出手段による検出結果を更に考慮して、前記帯域幅可変フィルタリング手段に対して前記通過帯域幅指定を行う、
ことを特徴とする請求項１又は２に記載の受信装置。
【請求項４】
前記通過帯域幅指定手段は、前記通過帯を段階的に変化させる通過帯域幅指定を行う、ことを特徴とする請求項１〜３のいずれか一項に記載の受信装置。
【請求項５】
前記通過帯域幅指定手段は、前記通過帯を連続的に変化させる通過帯域幅指定を行う、ことを特徴とする請求項１〜３のいずれか一項に記載の受信装置。
【請求項６】
移動体に搭載される、ことを特徴とする請求項１〜５のいずれか一項に記載の受信装置。
【請求項７】
選局指定に対応する選択放送局の隣接局からの隣接放送信号の周波数帯と、前記隣接放送信号とは異なる所定信号の周波数分布とを考慮して、通過帯域幅の決定態様指定を導出する指定工程と；
前記選局指定に対応する選択放送局からの放送信号を所定周波数帯の周波数変換信号に変換する周波数変換工程と；
前記周波数変換信号に含まれ、前記選択放送局の隣接局からの隣接放送信号に由来する隣接妨害信号の周波数帯に属する信号成分の信号レベルを検出する妨害レベル検出工程と；
前記指定工程において導出された前記通過帯域幅の決定態様指定に従い、前記妨害レベル検出工程における検出結果を考慮して、前記周波数変換信号に含まれ、通過帯域幅指定により定まる通過帯に該当する信号成分を選択的に通過させる帯域幅可変フィルタリング手段に対して、前記通過帯域幅指定を行う通過帯域幅指定工程と；
を備えることを特徴とする受信処理方法。
【請求項８】
請求項７に記載の受信処理方法を演算手段に実行させる、ことを特徴とする受信処理プログラム。
【請求項９】
請求項８に記載の受信処理プログラムが、演算手段により読み取り可能に記録されている、ことを特徴とする記録媒体。
【発明の詳細な説明】
【技術分野】
【０００１】
本発明は、受信装置、受信処理方法及び受信処理プログラム、並びに、当該受信処理プログラムが記録された記録媒体に関する。
【背景技術】
【０００２】
近年、放送局の増加により、選局された放送局に周波数軸上で隣接する放送局（以下、「隣接局」という）が存在する場合が多くなっている。このような状況下においては、隣接局の放送波が、選局された放送局の放送波と干渉したりすることにより、選局された放送局から放送されたコンテンツの良好な再生が妨げられる、いわゆる隣接妨害の問題が発生することがある。
【０００３】
こうした隣接妨害の問題に対処するために、隣接妨害信号の周波数帯の信号の信号レベルを妨害レベルとして検出し、その検出結果に対応して、再生用の信号を抽出するためのバンドパスフィルタ（ＢＰＦ）の通過帯域幅を変化させる技術が提案されている（特許文献１参照：以下、「従来例」という）。この従来例の技術では、妨害レベルに対応して当該ＢＰＦの通過帯域幅を決定する際に利用される閾値は、予め固定的に定められており、選局された放送局からの放送波の周波数帯には依存しないようになっている。
【０００４】
【特許文献１】特開２００４−２６０５２８号公報
【発明の開示】
【発明が解決しようとする課題】
【０００５】
上述した従来例の技術は、妨害レベルが、隣接局からの放送波にのみ由来する隣接妨害信号の信号レベルにのみによって定まることを想定している。しかしながら、近年のデジタル技術の進展により、受信装置の内部ではクロック信号が利用されるため、選局される放送局によっては、これらのクロック信号又はその高調波の周波数が、隣接妨害信号の周波数帯となる場合がある。こうした場合には、検出される妨害レベルから想定される隣接妨害よりも程度の高い妨害が一般的に発生することが、本発明者の研究・開発の結果として判明した。
【０００６】
このため、隣接妨害信号のみならず、内部的に発生するクロック信号等の周波数をも考慮して、選局された放送局から放送されたコンテンツの良好な再生を実現する技術が望まれている。かかる要請に応えることが、本発明が解決すべき課題の一つとして挙げられる。
【０００７】
本発明は、上記の事情を鑑みてなされたものであり、簡易な構成で、有効に妨害信号を除去することができる受信装置及び受信処理方法を提供することを目的とする。
【課題を解決するための手段】
【０００８】
請求項１に記載の発明は、選局指定に対応する選択放送局からの放送信号を所定周波数帯の周波数変換信号に変換する周波数変換手段と；前記周波数変換信号に含まれ、前記選択放送局の隣接局からの隣接放送信号に由来する隣接妨害信号の周波数帯に属する信号成分の信号レベルを検出する妨害レベル検出手段と；前記周波数変換信号に含まれ、通過帯域幅指定により定まる通過帯に該当する信号成分を選択的に通過させる帯域幅可変フィルタリング手段と；通過帯域幅の決定態様指定に従い、前記妨害レベル検出手段による検出結果を考慮して、前記帯域幅可変フィルタリング手段に対して前記通過帯域幅指定を行う通過帯域幅指定手段と；前記周波数変換手段に対して前記選局指定を行うとともに、前記選局指定により定まる前記隣接放送信号の周波数帯と、前記隣接放送信号とは異なる所定信号の周波数分布とを考慮して、前記通過帯域幅指定手段に対して前記通過帯域幅の決定態様指定を行う制御手段と；を備えることを特徴とする受信装置である。
【０００９】
請求項７に記載の発明は、選局指定に対応する選択放送局の隣接局からの隣接放送信号の周波数帯と、前記隣接放送信号とは異なる所定信号の周波数分布とを考慮して、通過帯域幅の決定態様指定を導出する指定工程と；前記選局指定に対応する選択放送局からの放送信号を所定周波数帯の周波数変換信号に変換する周波数変換工程と；前記周波数変換信号に含まれ、前記選択放送局の隣接局からの隣接放送信号に由来する隣接妨害信号の周波数帯に属する信号成分の信号レベルを検出する妨害レベル検出工程と；前記指定工程において導出された前記通過帯域幅の決定態様指定に従い、前記妨害レベル検出工程における検出結果を考慮して、前記周波数変換信号に含まれ、通過帯域幅指定により定まる通過帯に該当する信号成分を選択的に通過させる帯域幅可変フィルタリング手段に対して、前記通過帯域幅指定を行う通過帯域幅指定工程と；を備えることを特徴とする受信処理方法である。
【００１０】
請求項８に記載の発明は、請求項７に記載の受信処理方法を演算手段に実行させる、ことを特徴とする受信処理プログラムである。
【００１１】
請求項９に記載の発明は、請求項８に記載の受信処理プログラムが、演算手段により読み取り可能に記録されている、ことを特徴とする記録媒体である。
【発明を実施するための最良の形態】
【００１２】
以下、本発明の一実施形態を、図１〜図６を参照して説明する。なお、以下の説明及び図面においては、同一又は同等の要素には同一の符号を付し、重複する説明を省略する。
【００１３】
［構成］
図１には、一実施形態に係る受信装置１００の概略的な構成がブロック図にて示されている。この受信装置１００は、車両に搭載され、ＦＭラジオ放送を受信する受信装置である。
【００１４】
この図１に示されるように、受信装置１００は、アンテナ１１０と、周波数変換手段としてのＲＦ処理ユニット１２０と、再生処理ユニット１３０と、アナログ処理ユニット１４０とを備えている。また、受信装置１００は、スピーカユニット１５０と、操作入力ユニット１６０とを備えている。さらに、受信装置１００は、クロック発生ユニット１８０と、制御手段としての制御ユニット１９０とを備えている。
【００１５】
上記のアンテナ１１０は、放送波を受信する。アンテナ１１０による受信結果は、受信信号ＲＦＳとしてＲＦ処理ユニット１２０へ送られる。
【００１６】
上記のＲＦ処理ユニット１２０は、制御ユニット１９０から供給された選局指令ＣＳＬに従って、選択すべきチャンネルの信号を受信信号ＲＦＳから抽出する選局処理を行い、所定の中間周波数帯の成分を有する信号ＤＣＤを生成する。こうして生成された信号ＤＣＤは、再生処理ユニット１３０へ送られる。かかる機能を有するＲＦ処理ユニット１２０は、図２に示されるように、入力フィルタ１２１と、高周波増幅器（ＲＦ−ＡＭＰ：Radio Frequency-Amplifier）１２２と、バンドパスフィルタ（以下、「ＲＦフィルタ」とも呼ぶ）１２３とを備えている。また、ＲＦ処理ユニット１２０は、ミキサ（混合器）１２４と、ＡＤ（Analogue to Digital）変換器（ＡＤＣ）１２５とを備えている。さらに、ＲＦ処理ユニット１２０は、局部発振回路（ＯＳＣ）１２６を備えている。
【００１７】
上記の入力フィルタ１２１は、アンテナ１１０からの受信信号ＲＦＳの低周波成分を遮断するハイパスフィルタである。上記の高周波増幅器１２２は、入力フィルタ１２１を通過した信号を増幅する。
【００１８】
上記のＲＦフィルタ１２３は、高周波増幅器１２２から出力された信号のうち、特定の周波数範囲の信号を選択的に通過させる。上記のミキサ１２４は、ＲＦフィルタ１２３を通過した信号と、局部発振回路１２６から供給された局部発振信号ＣＦとを混合する。
【００１９】
上記のＡＤＣ１２５は、ミキサ１２４から出力された信号をデジタル信号に変換する。この変換結果は、信号ＤＣＤとして、再生処理ユニット１３０へ送られる。
【００２０】
上記の局部発振回路１２６は、電圧制御等により発振周波数の制御が可能な発振器等を備えて構成される。この局部発振回路１２６は、制御ユニット１９０から供給された選局指令ＣＳＬに従って、選局すべき物理チャンネルに対応する周波数の局部発振信号ＣＦを生成し、ミキサ１２４へ供給する。
【００２１】
図１に戻り、上記の再生処理ユニット１３０は、ＲＦ処理ユニット１２０からの信号ＤＣＤを受ける。そして、再生処理ユニット１３０は、隣接妨害信号の周波数帯に属する妨害信号を除去する。引き続き、再生処理ユニット１３０は、妨害信号が除去された信号に対して検波処理を施し、当該検波結果に対して復調処理を施す。かかる機能を有する再生処理ユニット１３０は、図３に示されるように、妨害レベル検出手段としての妨害レベル検出部１３１と、通過帯域幅指定手段としての帯域幅指定部１３２と、中間周波フィルタ（以下、「ＩＦフィルタ」とも呼ぶ）１３３と、帯域幅可変フィルタリング手段としての帯域制限フィルタ１３４とを備えている。また、再生処理ユニット１３０は、通過信号レベル検出手段としても機能する検波部１３５と、ステレオ復調部１３６とを備えている。
【００２２】
上記の妨害レベル検出部１３１は、ＲＦ処理ユニット１２０からの信号ＤＣＤを受けると、信号ＤＣＤに含まれ、隣接放送信号に由来する隣接妨害信号の周波数帯に属する信号成分の妨害信号レベルＮＬＤを検出する。かかる妨害信号レベルＮＬＤの検出に際して、妨害レベル検出部１３１は、高い周波数側の隣接放送信号に由来する隣接妨害信号の周波数帯である第１周波数帯に属する信号成分を抽出するとともに、低い周波数側の隣接放送信号に由来する隣接妨害信号の周波数帯である第２周波数帯に属する信号成分を抽出する。そして、妨害レベル検出部１３１は、抽出された信号成分に基づいて、妨害信号レベルＮＬＤを検出して帯域幅指定部１３２へ送る。
【００２３】
なお、本実施形態では、第１周波数帯及び第２周波数帯は、ともに連続的な周波数帯であり、再生対象の放送局の放送波に対応する中間周波数帯を中心として、周波数軸上において対称的に設定されるようになっている。そして、第１周波数帯及び第２周波数帯のそれぞれに関する信号成分の和が、妨害信号レベルＮＬＤとして、検出されるようになっている。
【００２４】
上記の帯域幅指定部１３２は、制御ユニット１９０から、後述する通過帯域幅の決定態様モードＳＴＣを受ける。また、帯域幅指定部１３２は、妨害レベル検出部１３１からの妨害信号レベルＮＬＤを受けるとともに、検波部１３５からの信号レベルＳＬＤを受ける。そして、帯域幅指定部１３２は、決定態様モードＳＴＣに従い、妨害信号レベルＮＬＤ、信号レベルＳＬＤを考慮して、帯域制限フィルタ１３４に対して指定する通過帯域幅指定ＢＷＳを決定する。かかる通過帯域幅指定ＢＷＳの指定に関する処理については、後述する。
【００２５】
上記のＩＦフィルタ１３３は、ＲＦ処理ユニット１２０から出力された信号ＤＣＤのうち、予め定められた中間周波数範囲の信号を選択して通過させる。こうしてＩＦフィルタ１３３を通過した信号は、信号ＩＦＤとして帯域制限フィルタ１３４へ送られる。
【００２６】
上記の帯域制限フィルタ１３４は、帯域幅指定部１３２からの通過帯域幅指定ＢＷＳを受ける。そして、帯域制限フィルタ１３４は、ＩＦフィルタ１３３を通過した信号ＩＦＤを受けると、通過帯域幅指定ＢＷＳにより定まる通過帯に該当する信号成分を選択的に通過させる。こうして帯域制限フィルタ１３４を通過した信号は、信号ＦＬＤとして検波部１３５へ送られる。
【００２７】
上記の検波部１３５は、帯域制限フィルタ１３４を通過した信号ＦＬＤに対して、所定方式でデジタル検波処理を施してコンポジット信号である検波信号ＤＡＤを生成する。こうして生成された検波信号ＤＡＤは、ステレオ復調部１３６へ送られる。
【００２８】
また、検波部１３５は、検波信号ＤＡＤの信号レベルを検出する。こうして検出された信号レベルは、信号レベルＳＬＤとして帯域幅指定部１３２へ送られる。
【００２９】
上記のステレオ復調部１３６は、検波部１３５からの検波信号ＤＡＤに対してステレオ復調処理を施し、信号ＤＭＤを生成する。生成された信号ＤＭＤは、アナログ処理ユニット１４０へ送られる。
【００３０】
なお、本実施形態では、再生処理ユニット１３０においては、デジタル信号処理が行われるようになっている。
【００３１】
図１に戻り、上記のアナログ処理ユニット１４０は、再生処理ユニット１３０からの信号ＤＭＤを受ける。そして、アナログ処理ユニット１４０は、制御ユニット１９０による制御のもとで、出力音声信号ＡＯＳを生成し、スピーカユニット１５０へ送る。かかる機能を有するアナログ処理ユニット１４０は、図４に示されるように、ＤＡ（Digital to Analogue）変換部１４１と、音量調整部１４２と、パワー増幅部１４３とを備えている。
【００３２】
上記のＤＡ変換部１４１は、再生処理ユニット１３０からの信号ＤＭＤを受ける。そして、ＤＡ変換部１４１は、信号ＤＭＤをアナログ信号に変換する。このＤＡ変換部１４１は、信号ＤＭＤに含まれるレフトチャンネル（以下、「Ｌチャンネル」）信号及びライトチャンネル（以下、「Ｒチャンネル」）信号に対応して、互いに同様に構成された２個のＤＡ（Digital to Analogue）変換器を備えている。ＤＡ変換部１４１による変換結果であるアナログ信号ＡＣＳは、音量調整部１４２へ送られる。
【００３３】
上記の音量調整部１４２は、ＤＡ変換部１４１からのアナログ信号ＡＣＳを受ける。そして、音量調整部１４２は、制御ユニット１９０からの音量調整指令ＶＬＣに従って、アナログ信号ＡＣＳに対して音量調整処理を施す。この音量調整部１４２は、本実施形態では、アナログ信号ＡＣＳに含まれるＬチャンネル信号及びＲチャンネル信号に対応して、互いに同様に構成された２個の電子ボリューム素子等を備えて構成されている。音量調整部１４２による調整結果であるアナログ信号ＶＣＳは、パワー増幅部１４３へ送られる。
【００３４】
上記のパワー増幅部１４３は、音量調整部１４２からのアナログ信号ＶＣＳを受ける。そして、パワー増幅部１４３は、アナログ信号ＶＣＳをパワー増幅する。このパワー増幅部１４３は、アナログ信号ＶＣＳに含まれるＬチャンネル信号及びＲチャンネル信号に対応して、互いに同様に構成された２個のパワー増幅器を備えている。パワー増幅部１４３による増幅結果である出力音声信号ＡＯＳは、スピーカユニット１５０へ送られる。
【００３５】
図１に戻り、上記のスピーカユニット１５０は、Ｌチャンネルスピーカ及びＲチャンネルスピーカを備えている。このスピーカユニット１５０は、アナログ処理ユニット１４０からの出力音声信号ＡＯＳに従って、音声を再生出力する。
【００３６】
上記の操作入力ユニット１６０は、受信装置１００の本体部に設けられたキー部及び／又はキー部を備えるリモート入力装置等により構成される。ここで、本体部に設けられたキー部としては、不図示の表示ユニットに設けられたタッチパネルを用いることができる。なお、キー部を有する構成に代えて、又は、併用して音声認識技術を利用して音声にて入力する構成を採用することもできる。操作入力ユニット１６０への操作入力結果は、操作入力データＩＰＤとして制御ユニット１９０へ送られる。
【００３７】
上記のクロック発生ユニット１８０は、基本周波数の基本クロック信号を発生する発振回路と、基本クロック信号を分周する分周回路等を備えて構成されている。このクロック発生ユニット１８０は、クロック信号ＣＬＫを発生し、制御ユニット１９０へ供給する。
【００３８】
上記の制御ユニット１９０は、受信装置１００の全体の動作を制御する。この制御ユニット１９０は、クロック発生ユニット１８０から供給されたクロック信号ＣＬＫに基づいて動作するようになっている。
【００３９】
制御ユニット１９０は、操作入力ユニット１６０に入力された選択放送局のチャンネル指定に従って、指定されたチャンネルの選択を行わせるための選局指令ＣＳＬを生成し、ＲＦ処理ユニット１２０へ送る。このようにして選局指令ＣＳＬの発行を行うと、制御ユニット１９０は、当該選局指令ＣＳＬにより定まる隣接局の隣接放送信号の周波数帯と、上述したクロック信号ＣＬＫ、及び、無視できないパワーを有している当該クロック信号ＣＬＫの高調波信号の周波数（以下、「クロック等周波数」ともいう）とを考慮して、帯域幅指定部１３２に対して、通過帯域幅の決定態様モードＳＴＣを指定する。
【００４０】
なお、クロック等周波数において、クロック信号の周波数については設計時に定められ、それ以外の信号の周波数については、実験、シミュレーション、経験等に基づいて、予め定められるようになっている。
【００４１】
この通過帯域幅の決定態様モードＳＴＣには、「特定妨害信号除去モード」と「通常妨害信号除去モード」との２つのモードがある。ここで、「特定妨害信号除去モード」は、隣接放送信号の周波数帯にクロック等周波数の一部が重なる場合に指定するモードである。また、「通常妨害信号除去モード」は、隣接放送信号の周波数帯とクロック等周波数とが重ならない場合に指定するモードである。
【００４２】
また、制御ユニット１９０は、アナログ処理ユニット１４０を制御して、スピーカユニット１５０からの出力音量を調整する。この出力音量の制御に際して、制御ユニット１９０は、操作入力ユニット１６０に入力された音量指定に従って音量調整指令ＶＬＣを生成し、アナログ処理ユニット１４０へ送る。
【００４３】
［動作］
以上のようにして構成された受信装置１００の動作について、妨害信号の除去処理に主に着目して説明する。
【００４４】
受信装置１００における妨害信号の除去処理は、図５に示されるように、ステップＳ１１において、利用者が当該装置の電源を投入し、操作入力ユニット１６０を利用して、チャンネルの選局設定指令を入力することにより開始する。
【００４５】
引き続き、ステップＳ１２において、制御ユニット１９０がチャンネルの選局設定指令に対応する選局指令ＣＳＬを生成し、ＲＦ処理ユニット１２０へ送る。選局指令ＣＳＬを受けたＲＦ処理ユニット１２０では、受信信号ＲＦＳの選局処理が行われ、信号ＤＣＤが再生処理ユニット１３０へ送られる。
【００４６】
引き続き、ステップＳ１３において、制御ユニット１９０が、クロック等周波数の一部が隣接放送信号の周波数帯となっているか否かを判定する。この判定の結果が否定的であった場合（ステップＳ１３：Ｎ）には、処理はステップＳ１４へ進む。
【００４７】
ステップＳ１４では、制御ユニット１９０が、通過帯域幅の決定態様モードＳＴＣとして、「通常妨害信号除去モード」を帯域幅指定部１３２に対して指定する。
【００４８】
「通常妨害信号除去モード」である旨の決定態様モードＳＴＣを受けた帯域幅指定部１３２は、妨害レベル検出部１３１からの妨害信号レベルＮＬＤと検波部１３５からの信号レベルＳＬＤとを考慮して、妨害度合を評価する。この妨害度合を評価するに際して、帯域幅指定部１３２は、例えば、妨害信号レベルＮＬＤの値が同じであっても、信号レベルＳＬＤの値が大きければ、妨害度合は小さいと判断する。
【００４９】
そして、帯域幅指定部１３２は、評価した妨害度合に基づいて、帯域制限フィルタ１３４に対して指定する帯域幅を決定する。かかる帯域幅を決定するに際して、帯域幅指定部１３２は、本実施形態では、図６（Ａ）に示されるように、妨害度合が値ＥＳＴ2未満である場合には、帯域幅を幅ＢＷ0に決定する。なお、この幅ＢＷ0は、ＩＦフィルタ１３３における帯域幅と同じになっている。また、妨害度合が値ＥＳＴ2以上、かつ、値ＥＳＴ3未満であれば、帯域幅を幅ＢＷ1に決定し、妨害度合が値ＥＳＴ3以上であれば、帯域幅を幅ＢＷ2に決定する。
【００５０】
こうして決定された帯域幅は、通過帯域幅指定ＢＷＳとして、帯域制限フィルタ１３４へ送られる。そして、帯域制限フィルタ１３４が、ＩＦフィルタ１３３を通過した信号ＩＦＤを受け、通過帯域幅指定ＢＷＳにより定まる帯域幅に該当する信号成分を選択的に通過させる。このようにして帯域制限フィルタ１３４を通過した信号ＦＬＤは、検波処理及び復調処理が施される。そして、当該復調処理結果が、アナログ処理ユニット１４０を介してスピーカユニット１５０へ送られ、再生音声が出力される。
【００５１】
なお、制御ユニット１９０における処理は、帯域幅指定部１３２に対して決定態様モードＳＴＣの指定を行うと、図５のステップＳ１６へ進む。
【００５２】
図５に戻り、ステップＳ１３における判定の結果が肯定的であった場合（ステップＳ１３：Ｙ）には、処理はステップＳ１５へ進む。ステップＳ１５では、制御ユニット１９０が、通過帯域幅の決定態様モードＳＴＣとして、「特定妨害信号除去モード」を帯域幅指定部１３２に対して指定する。
【００５３】
「特定妨害信号除去モード」である旨の決定態様モードＳＴＣを受けた帯域幅指定部１３２は、妨害信号レベルＮＬＤと信号レベルＳＬＤとを考慮して、妨害度合を評価する。そして、帯域幅指定部１３２は、評価した妨害度合に基づいて、帯域制限フィルタ１３４に対して指定する帯域幅を決定する。
【００５４】
かかる帯域幅を決定するに際して、帯域幅指定部１３２は、本実施形態では、図６（Ｂ）に示されるように、妨害度合が値ＥＳＴ1（＜ＥＳＴ2）未満である場合に、帯域幅を幅ＢＷ0に決定する。そして、妨害度合が値ＥＳＴ1以上、かつ、値ＥＳＴ3未満であれば、帯域幅を幅ＢＷ1に決定し、妨害度合が値ＥＳＴ3以上であれば、帯域幅を幅ＢＷ2に決定する。
【００５５】
なお、値ＥＳＴ1は、実験、シミュレーション、経験等に基づいて、予め定められるようになっている。
【００５６】
このように妨害度合が値ＥＳＴ1以上、かつ、値ＥＳＴ2未満であるときに、通常妨害信号除去モード（図６（Ａ）参照）と比べて、帯域幅を幅ＢＷ0から幅ＢＷ1に狭めている。このように「特定妨害信号除去モード」においては、信号ＦＬＤの帯域幅を、「通常妨害信号除去モード」よりも、早めに幅ＢＷ0から幅ＢＷ1に狭めるようになっている。
【００５７】
こうして決定された帯域幅は、上述の場合と同様に、通過帯域幅指定ＢＷＳとして、帯域制限フィルタ１３４へ送られる。そして、帯域制限フィルタ１３４が、ＩＦフィルタ１３３を通過した信号ＩＦＤを受け、通過帯域幅指定ＢＷＳにより定まる帯域幅に該当する信号成分を選択的に通過させる。このようにして帯域制限フィルタ１３４を通過した信号ＦＬＤは、検波処理及び復調処理が施される。そして、当該復調処理結果が、アナログ処理ユニット１４０を介してスピーカユニット１５０へ送られ、再生音声が出力される。
【００５８】
なお、制御ユニット１９０における処理は、帯域幅指定部１３２に対して決定態様モードＳＴＣを指定すると、上述したように、図５のステップＳ１６へ進む。
【００５９】
引き続き、ステップＳ１６では、制御ユニット１９０が、チャンネルの選局変更があったか否かを判定する。この判定の結果が否定的であった場合（ステップＳ１６：Ｎ）には、ステップＳ１６の処理が繰り返される。
【００６０】
一方、ステップＳ１６における判定の結果が肯定的であった場合（ステップＳ１６：Ｙ）には、処理はステップＳ１２へ戻る。
【００６１】
上記の妨害信号の除去処理が実行されることにより、受信装置１００における放送波の受信処理が行われる。
【００６２】
以上説明したように、本実施形態では、制御ユニット１９０が、クロック等周波数の一部が隣接放送信号の周波数帯となっているか否かを判定し、当該判定結果に対応した決定態様モードＳＴＣを、帯域幅指定部１３２に対して指定する。決定態様モードＳＴＣを受けた帯域幅指定部１３２は、妨害レベル検出部１３１からの妨害信号レベルＮＬＤ及び検波部１３５からの信号レベルＳＬＤから求まる受信信号の妨害度合に基づいて、帯域制限フィルタ１３４に対して指定する帯域幅を決定する。かかる帯域幅を決定するに際して、帯域幅指定部１３２は、クロック等周波数の一部が隣接放送信号の周波数帯となっている場合には、そうでない場合と比べて、信号ＦＬＤの帯域幅を、早めに狭める態様となるようにする。
【００６３】
したがって、本実施形態によれば、簡易な構成で、有効に妨害信号を除去することができる。
【００６４】
［実施形態の変形］
本発明は、上記の実施形態に限定されるものではなく、様々な変形が可能である。
【００６５】
例えば、上記の実施形態では、妨害信号レベル及び信号レベルを考慮して、妨害度合を評価することとしたが、妨害信号レベルのみを考慮して、妨害度合を評価するようにしてもよい。
【００６６】
また、上記の実施形態では、妨害度合の一つの閾値である値ＥＳＴ3を、「通常妨害信号除去モード」と「特定妨害信号除去モード」とにおいて同じ値としたが、両モードにおける妨害度合の閾値を、互いに異なるようにしてもよい。
【００６７】
また、上記の実施形態では、３段階に決定する帯域幅は、上記の両モードにおいて同じものとしたが、各モードにおいて互いに異なる帯域幅を採用するようにしてもよい。
【００６８】
また、上記の実施形態では、帯域幅指定部が帯域制限フィルタに対して指定する帯域幅を３段階としたが、帯域幅の段階を２段階としてもよいし、４段階以上としてもよい。さらに、段階的に帯域幅を変化させるのではなく、上述した妨害度合に応じて帯域幅を連続的に変化させるようにしてもよい。
【００６９】
また、上記の実施形態では、妨害レベル検出部が妨害信号を抽出する第１及び第２周波数帯は連続的であるとした。これに対して、第１及び第２周波数帯を、複数の隣接局のそれぞれに対応する不連続な周波数帯とすることができる。この場合においては、制御ユニットが、クロック信号及びその高調波の周波数がいずれの隣接局に対応するかを指定し、この指定を考慮して、帯域幅指定部が帯域幅を指定するようにすればよい。
【００７０】
また、上記の実施形態では、隣接妨害信号の周波数帯に属する可能性があり、かつ、妨害信号となり得る所定信号を、制御ユニットに供給されるクロック信号及びその高調波信号とした。これに対して、当該所定信号は、受信装置内の他の信号であってもよいし、また、他の装置の動作に利用される信号であってもよい。
【００７１】
また、上記の実施形態では、再生処理ユニットにおいてはデジタル信号処理が行われることとしたが、アナログ信号処理を行うようにしてもよい。
【００７２】
また、上記の実施形態においては、ＦＭラジオ受信装置に本発明を適用したが、他の種類の放送受信機能を有する装置に本発明を適用することもできるし、また、車両以外の移動体に搭載される放送受信装置に本発明を適用することもできる。さらに、例えば、家庭内等に設置される放送受信機能を有する装置に本発明を適用することもできる。
【００７３】
なお、上記の実施形態における制御ユニット１９０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図面の簡単な説明】
【００７４】
【図１】本発明の一実施形態に係る受信装置の構成を概略的に示すブロック図である。
【図２】図１のＲＦ処理ユニットの構成を示すブロック図である。
【図３】図１の再生処理ユニットの構成を示すブロック図である。
【図４】図１のアナログ処理ユニットの構成を示すブロック図である。
【図５】図１の装置における妨害信号の除去処理を説明するためのフローチャートである。
【図６】帯域幅指定部における通過帯域幅の決定方法を説明するための図である。
【符号の説明】
【００７５】
１００  …  受信装置
１２０  …  ＲＦ処理ユニット（周波数変換手段）
１３１  …  妨害レベル検出部（妨害レベル検出手段）
１３２  …  帯域幅指定部（通過帯域幅指定手段）
１３４  …  帯域制限フィルタ（帯域幅可変フィルタリング手段）
１３５  …  検波部（通過信号レベル検出手段）
１９０  …  制御ユニット（制御手段）
【図１】
2010154411.tif 000003
【図２】
2010154411.tif 000004
【図３】
2010154411.tif 000005
【図４】
2010154411.tif 000006
【図５】
2010154411.tif 000007
【図６】
2010154411.tif 000008